【事件の表示】
　特許第２８８３８５２号「遊技機の表示装置」の請求項１ないし１７に係る特許に対する特許異議の申立てについて、次のとおり決定する。
【結　論】
　訂正を認める。
　特許第２８８３８５２号の請求項１ないし１６に係る特許を維持する。
【理　由】
一、手続の経緯
　本件特許第２８８３８５２号発明（平成８年５月１１日特許出願、平成１１年２月５日設定登録）の特許に対し、特許異議申立人河井清悦（以下、「申立人」という。）より特許異議の申立てがなされ、当審において取消理由を通知したところ、その指定期間内の平成１２年６月２２日に訂正請求がなされたものである。
　
二、訂正の適否についての判断
１．訂正の内容
　特許権者は、特許明細書を次のように訂正しようとするものである。
［訂正事項ａ］
　特許明細書の【特許請求の範囲】の
「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部と、を備えたことを特徴とする遊技機の表示装置。」
の記載を、
「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されていることを特徴とする遊技機の表示装置。」と訂正する。
［訂正事項ｂ］
　特許明細書の【特許請求の範囲】の
「【請求項２】前記回転表示体は透光性の材料により中空に形成され、その内側に発光部が設けられている請求項１記載の表示装置。」
の記載を、
「【請求項２】前記第一の回転駆動部は、前記回転表示体の内部を貫通して設けられ、前記第一の回転軸線を形成する固定軸と、前記回転表示体の内部においてその固定軸と一体に設けられたステータ部と、前記回転表示体の内部においてこれと一体的に、かつ前記ステータ部の外側に設けられて、そのステータ部の周りで回転することにより、前記回転表示体を前記固定軸の周りで回転させるロータ部と、を備えたモータとされている請求項１記載の表示装置。」と訂正する。
［訂正事項ｃ］
　特許明細書の【特許請求の範囲】の
「【請求項３】前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されている請求項１又は２に記載の表示装置。」
の記載を、
「【請求項３】前記回転表示体は、前記ロータ部に対して着脱可能に設けられている請求項２記載の表示装置。」と訂正する。
［訂正事項ｄ］
　特許明細書の【特許請求の範囲】の
「【請求項４】前記第一の回転駆動部は、前記回転表示体の内部を貫通して設けられ、前記第一の回転軸線を形成する固定軸と、前記回転表示体の内部においてその固定軸と一体に設けられたステータ部と、前記回転表示体の内部においてこれと一体的に、かつ前記ステータ部の外側に設けられて、そのステータ部の周りで回転することにより、前記回転表示体を前記固定軸の周りで回転させるロータ部と、を備えたモータとされている請求項３記載の表示装置。」
の記載を、
「【請求項４】前記ロータ部は、前記固定軸を貫通させる貫通孔を有して前記ステータ部を外側から覆うように設けられ、該貫通孔に装着されたベアリングを介して前記固定軸により回転可能に支持されるとともに、前記回転表示体には、該固定軸の両端部に対応してそれぞれこれを貫通させる貫通孔が形成されている請求項３記載の表示装置。」と訂正する。
［訂正事項ｅ］
　特許明細書の【特許請求の範囲】の
「【請求項５】前記回転表示体は、前記ロータ部に対して着脱可能に設けられている請求項４記載の表示装置。」
の記載を、
「【請求項５】前記回転表示体は、前記固定軸の軸線を含む面により分割して形成された２つのプラスチック部材とされ、それぞれその分割側の開口縁部において、前記固定軸を挟む形で互いに嵌合・一体化されるとともに、両プラスチック部材側に形成された表示体側係合部と、前記ロータ部側に形成されたロータ側係合部との係合又は離脱により、前記ロータ部に対して着脱される請求項４記載の表示装置。」と訂正する。
［訂正事項ｆ］
　特許明細書の【特許請求の範囲】の
「【請求項６】前記ロータ部は、前記固定軸を貫通させる貫通孔を有して前記ステータ部を外側から覆うように設けられ、該貫通孔に装着されたベアリングを介して前記固定軸により回転可能に支持されるとともに、前記回転表示体には、該固定軸の両端部に対応してそれぞれこれを貫通させる貫通孔が形成されている請求項５記載の表示装置。」
の記載を、
「【請求項６】前記固定軸は中空に形成され、前記発光部は前記固定軸上に固定されるとともにそのリード部が該固定軸の内側を通されている請求項２ないし５のいずれかに記載の表示装置。」と訂正する。
［訂正事項ｇ］
　特許明細書の【特許請求の範囲】の
「【請求項７】前記回転表示体は、前記固定軸の軸線を含む面により分割して形成された２つのプラスチック部材とされ、それぞれその分割側の開口縁部において、前記固定軸を挟む形で互いに嵌合・一体化されるとともに、両プラスチック部材側に形成された表示体側係合部と、前記ロータ部側に形成されたロータ側係合部との係合又は離脱により、前記ロータ部に対して着脱される請求項６記載の表示装置。」
の記載を、
「【請求項７】前記ロータ部の前記第一の回転軸線方向における少なくとも一方の端面に、該ロータ部と一体回転可能な１又は複数の被検出部が形成され、前記固定軸上に設けられた検出手段による前記被検出部の検出に基づいて、前記ロータ部と一体回転する前記回転表示体の回転位置が検出されるようにした請求項４ないし６のいずれかに記載の表示装置。」と訂正する。
［訂正事項ｈ］
　特許明細書の【特許請求の範囲】の
「【請求項８】前記固定軸は中空に形成され、前記発光部は前記固定軸上に固定されるとともにそのリード部が該固定軸の内側を通されている請求項４ないし７のいずれかに記載の表示装置。」
の記載を、
「【請求項８】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされていることを特徴とする遊技機の表示装置。」と訂正する。
［訂正事項ｉ］
　特許明細書の【特許請求の範囲】の
「【請求項９】前記ロータ部の前記第一の回転軸線方向における少なくとも一方の端面に、該ロータ部と一体回転可能な１又は複数の被検出部が形成され、前記固定軸上に設けられた検出手段による前記被検出部の検出に基づいて、前記ロータ部と一体回転する前記回転表示体の回転位置が検出されるようにした請求項６ないし８のいずれかに記載の表示装置。」
の記載を、
「【請求項９】前記回転表示体は透光性の材料により中空に形成され、その内側に発光部が設けられている請求項１ないし８のいずれかに記載の表示装置。」と訂正する。
［訂正事項ｊ］
　特許明細書の【特許請求の範囲】の
「【請求項１０】前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされている請求項１又は２に記載の表示装置。」
の記載を、
「【請求項１０】前記第一の回転軸線の少なくとも一方の端部側において、前記回転表示体の該第一の回転軸線の周りでの回転を許容した状態で、該回転表示体を支持する表示体支持部を備え、前記第二の回転駆動部は、前記第二の回転軸線の周りにおいて、前記表示体支持部を前記回転表示体と一体的に回転させるモータを含むものとされている請求項１ないし９のいずれかに記載の表示装置。」と訂正する。
［訂正事項ｋ］
　特許明細書の【特許請求の範囲】の
「【請求項１１】前記第一の回転軸線の少なくとも一方の端部側において、前記回転表示体の該第一の回転軸線の周りでの回転を許容した状態で、該回転表示体を支持する表示体支持部を備え、前記第二の回転駆動部は、前記第二の回転軸線の周りにおいて、前記表示体支持部を前記回転表示体と一体的に回転させるモータを含むものとされている請求項３ないし１０のいずれかに記載の表示装置。」
の記載を、
「【請求項１１】前記第二の回転駆動部を形成する前記モータのモータ軸は、前記表示体支持部が結合されているのとは反対側において、モータ本体を貫通するように延びるととともに、その末端部に該モータ軸と一体回転可能に被検出部が設けられ、該モータ軸の末端部に近接して、その限界回転位置に対応する位置に前記被検出部を検出するための検出手段が設けられている請求項１０記載の表示装置。」と訂正する。
［訂正事項ｌ］
　特許明細書の【特許請求の範囲】の
「【請求項１２】前記第二の回転駆動部を形成する前記モータのモータ軸は、前記表示体支持部が結合されているのとは反対側において、モータ本体を貫通するように延びるととともに、その末端部に該モータ軸と一体回転可能に被検出部が設けられ、該モータ軸の末端部に近接して、その限界回転位置に対応する位置に前記被検出部を検出するための検出手段が設けられている請求項１１記載の表示装置。」
の記載を、
「【請求項１２】前記回転表示体は球状に形成され、前記第一及び第二の回転軸線は、その球状の回転表示体のほぼ中心付近で互いにほぼ直交するものとされ、さらに、前記第一及び第二の回転軸線のいずれか一方とそれぞれ直交し、かつその回転軸線に沿って所定の間隔で配列する複数の平面と、前記回転表示体の表面との交線に沿って設定された複数の円周経路に沿って、それぞれ前記複数の画像が所定の間隔で配列されている請求項１ないし１１のいずれかに記載の表示装置。」と訂正する。
［訂正事項ｍ］
　特許明細書の【特許請求の範囲】の
「【請求項１３】前記回転表示体は球状に形成され、前記第一及び第二の回転軸線は、その球状の回転表示体のほぼ中心付近で互いにほぼ直交するものとされ、さらに、前記第一及び第二の回転軸線のいずれか一方とそれぞれ直交し、かつその回転軸線に沿って所定の間隔で配列する複数の平面と、前記回転表示体の表面との交線に沿って設定された複数の円周経路に沿って、それぞれ前記複数の画像が所定の間隔で配列されている請求項３ないし１２のいずれかに記載の表示装置。」
の記載を、
「【請求項１３】前記回転表示体は球状に形成され、前記第一及び第二の回転軸線は、その球状の回転表示体の中心付近で互いにほぼ直交するものとされ、さらに、前記第一及び第二の回転軸線のいずれか一方を含み、かつその回転軸線の周りに所定の角度間隔で配列する複数の平面と、前記回転表示体の表面との交線に沿って設定された複数の円周経路上に、それぞれ前記複数の画像が所定の間隔で配列されている請求項１ないし１２のいずれかに記載の表示装置。」と訂正する。
［訂正事項ｎ］
　特許明細書の【特許請求の範囲】の
「【請求項１４】前記回転表示体は球状に形成され、前記第一及び第二の回転軸線は、その球状の回転表示体の中心付近で互いにほぼ直交するものとされ、さらに、前記第一及び第二の回転軸線のいずれか一方を含み、かつその回転軸線の周りに所定の角度間隔で配列する複数の平面と、前記回転表示体の表面との交線に沿って設定された複数の円周経路上に、それぞれ前記複数の画像が所定の間隔で配列されている請求項３ないし１３のいずれかに記載の表示装置。」
の記載を、
「【請求項１４】前記回転表示体に形成された複数の画像のうち、その一部のものを除いて他のものを遮蔽する画像遮蔽部が形成されている請求項１ないし１３のいずれかに記載の表示装置。」と訂正する。
［訂正事項ｏ］
　特許明細書の【特許請求の範囲】の
「【請求項１５】前記回転表示体に形成された複数の画像のうち、その一部のものを除いて他のものを遮蔽する画像遮蔽部が形成されている請求項１ないし１４のいずれかに記載の表示装置。」
の記載を、
「【請求項１５】前記回転表示体の両側にそれぞれ配置されるドラム式表示体であって、直径が軸方向長さよりも大きく形成された偏平円筒状の本体部を有し、その本体部の外周面に沿って複数の画像が所定の間隔で形成されるとともに、自身の円筒中心線を回転軸線として、その回転軸線の向きが前記回転表示体の第一の回転軸線の向きとほぼ一致するように配置されるドラム式表示体と、それらドラム式表示体を回転駆動するドラム式表示体駆動部と、を備えた請求項１ないし１４のいずれかに記載の表示装置。」と訂正する。
［訂正事項ｐ］
　特許明細書の【特許請求の範囲】の
「【請求項１６】前記回転表示体の両側にそれぞれ配置されるドラム式表示体であって、直径が軸方向長さよりも大きく形成された偏平円筒状の本体部を有し、その本体部の外周面に沿って複数の画像が所定の間隔で形成されるとともに、自身の円筒中心線を回転軸線として、その回転軸線の向きが前記回転表示体の第一の回転軸線の向きとほぼ一致するように配置されるドラム式表示体と、それらドラム式表示体を回転駆動するドラム式表示体駆動部と、を備えた請求項３ないし１５のいずれかに記載の表示装置。」
の記載を、
「【請求項１６】前記回転表示体の前記第一の回転軸線方向における両側部が、それぞれ対応する側の前記ドラム式表示体の内側に入り込むように配置されている請求項１５記載の表示装置。」と訂正する。
［訂正事項ｑ］
　特許明細書の【特許請求の範囲】の
「【請求項１７】前記回転表示体の前記第一の回転軸線方向における両側部が、それぞれ対応する側の前記ドラム式表示体の内側に入り込むように配置されている請求項１６記載の表示装置。」
の記載を、削除する。
　
２．訂正の目的の適否、新規事項の有無及び拡張・変更の存否
　訂正事項ａないし訂正事項ｑの訂正は、特許請求の範囲の減縮を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．独立特許要件の判断
（１）訂正明細書の発明
　訂正明細書の請求項１、請求項９及び請求項１４に係る発明（以下、順に「訂正発明１」、「訂正発明９」及び「訂正発明１４」といい、これらの発明を総称するときは、単に「本件訂正発明」という。）は、それぞれ、訂正明細書の特許請求の範囲の請求項１、請求項９及び請求項１４に記載された事項により特定される次のとおりのものである。（上記二、の「１．訂正の内容」の欄に［訂正事項ａ］として記載した請求項１、［訂正事項ｉ］として記載した請求項９及び［訂正事項ｎ］として記載した請求項１４、を参照。）
　［訂正発明１］：「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されていることを特徴とする遊技機の表示装置。」
　［訂正発明９］：「【請求項９】前記回転表示体は透光性の材料により中空に形成され、その内側に発光部が設けられている請求項１ないし８のいずれかに記載の表示装置。」
　［訂正発明１４］：「【請求項１４】前記回転表示体に形成された複数の画像のうち、その一部のものを除いて他のものを遮蔽する画像遮蔽部が形成されている請求項１ないし１３のいずれかに記載の表示装置。」
　
（２）引用例
［引用例１］：特願平７−６６５５号（特開平８−１９１９３５号公報参照）の願書に最初に添付した明細書及び図面（申立人提出の甲第２号証）
［引用例２］：特開平５−８４３４９号公報（申立人提出の甲第３号証）
［引用例３］：特開平５−１７７０４２号公報（申立人提出の甲第４号証）
［引用例４］：特開平６−２２５９６２号公報（申立人提出の甲第５号証）
　
（３）各引用例に記載の発明
　［引用例１］は、本件の特許出願の日前の他の特許出願であつて当該特許出願後に出願公開がされた出願の願書に最初に添附した明細書及び図面であり、該引用例１には、次の事項が記載されている。
・「【０００１】【産業上の利用分野】本発明は、回転体を回動後停止させ、そのときの回転体上の所定位置における表示態様を表示する回転式表示装置に関する。」（２欄１２〜１５行）
・「一般に、回転式表示装置は、図４３に示すようなパチンコ機、図４４に示すようなスロットマシン、又は占い用装置、その他の種々の機器に利用される。」（２欄１７〜２０行）
・「【００２６】（図柄）上述の如く構成した回転体５６の外周表面部には、図９に示す如き、一連の図柄１４８、１５０、１５２、１５４、１５６、１５８を表示する。この図柄は、４個の当り図柄、１４８、１５２、１５４、１５８と、２個の外れ図柄１５０、１５６とで構成される。これらの図柄１４８、１５０、１５２、１５４、１５６、１５８は、回転体５６における、回転体５６の中心を通りＹ軸（回転軸８４）に直交する平面と、回転体５６の外周面との交わる部所である一対の殻体６２、６４の接合周部Ｓに沿って一連の環状に配置される。さらに、各図柄１４８、１５０、１５２、１５４、１５６、１５８は、回転体５６の外周部を６分割した各範囲内にそれぞれ表示される。なお、図９は回転体５６の外周へ曲面状に表示される図柄を説明の便宜上、平面上に表示してある。【００２７】（駆動機構）図１、及び図７に示すように、回転体５６に挿通された回転軸８４の一対の殻体６２、６４から延出された両端部は、それぞれ保持フレーム８６の軸受部８８に回動自由に挿通され軸支される。さらに、回転軸８４の各軸受部８８から延出した両端部には、それぞれ回転体固定歯車９０を固着し、この回転体固定歯車９０と回転軸８４と、一対の殻体６２、６４とが軸受部８８に軸支されてＹ軸回りに一体的に回動するようにする。【００２８】保持フレーム８６は、半球殻形状をしており、その半球面中央に穿設した円形開口から一体的に円筒状軸部９２が形成される。円筒状軸部９２は、機構支持板５２に立設した円筒状の旋回軸９４の外周に嵌められて軸支される。また、円筒状軸部９２の自由端部には、軸直角横方向に延びるフランジ状の旋回被動歯車９６が一体に形成される。【００２９】この旋回被動歯車９６は、機構支持板５２に設けたステッピングモータである旋回駆動源９８の駆動歯車１００に噛合される。これにより、旋回駆動源９８を駆動して、駆動歯車１００から旋回被動歯車９６に回転を伝達し、保持フレーム８６及び回転体５６を図１のＸ軸回りに回動させるようにする。【００３０】なお、図１の構成では、Ｘ軸とＹ軸とが直角に交差する構成であるが、Ｘ軸とＹ軸とは方向が異るように構成されていれば、互に直角以外の角度で交差したり、くい違い状態でも良い。【００３１】保持フレーム８６の外側には、介在歯車１０２が装着される。介在歯車１０２は、半球殻形状をしており、その半球面中央の円形開口から一体に円筒状の軸筒部１０４が形成される。軸筒部１０４は、円筒状軸部９２の外周に嵌められて軸支される。介在歯車１０２の半球殻形の広口周端部には、歯車１０６を形成し、回転体５６の各回転体固定歯車９０を噛合させる。【００３２】介在歯車１０２の軸筒部１０４の自由端部には、直角横方向に延びるフランジ状の回転被動歯車１０８が同軸一体に形成される。この回転被動歯車１０８は、機構支持板５２に設けたステッピングモータである回転駆動源１１０の駆動歯車１１２に噛合される。これにより、回転駆動源１１０を駆動して、駆動歯車１１２から回転被動歯車１０８に回転を伝達し、介在歯車１０２をＸ軸回りに回転する。そして介在歯車１０２の歯部１０６に噛合する回転体固定歯車９０が回動されて、回転体固定歯車９０と一体の回転軸８４と回転体５６が図１のＹ軸回りに回動される。回転体５６がＸ軸回りに回転する場合には、回転体固定歯車９０は回転軸８４と共に回転しながら歯部１０６とかみ合いながら歯部１０６上を移動（公転移動）する。【００３３】なお、本第１実施例では駆動源９８、１１０の動力を伝達するための歯車機構を用いたが、ベルト、チェーン等の巻掛け伝動機構等の、種々の動力伝達機構を用いても良い。」（７欄１９行〜８欄３４行）
・「【００３７】（外周表示手段）さらに図２に示される如く、ハウジング５０におけるカバー部材６０の内側に、球面窓部６０Ａの周囲を取り巻くように環状の表示灯基板１２４が配置される。この表示灯基板１２４の中心角１５度づつに区切って２４分割された部位には、それぞれＬＥＤ等で構成した表示灯１２６を配置する。」（９欄１３〜１８行）
・「【００５２】なお、本第１実施例では、回転体５６をＸ軸とＹ軸との２軸方向に回動するため保持フレーム８６、回転体固定歯車９０、介在歯車１０２等を有する駆動機構を用いたが、本発明はこれに限定されるものではなく、回転体５６にＸ軸方向に回転するローラを転接させるとともに、Ｙ軸方向に回転するローラを転接させ、これらのローラを独自に回動制御することによって、回転体５６をＸ、Ｙ軸方向に回動動作するように構成しても良い。」（１１欄２２〜３０行）
　そうしてみると、上記引用例１の明細書及び図面に記載の事項からみて、該引用例１には「互いに交差するＸ軸方向及びＹ軸方向の周りにそれぞれ独立に回転可能に支持され、かつその外側面を表示面として４個の当り図柄１４８、１５２、１５４、１５８と、２個の外れ図柄１５０、１５６が形成された回転体５６と、前記互いに交差するＸ軸方向及びＹ軸方向に対応して設けられ、回転体５６にＸ軸方向に回転するローラを転接させるとともに、Ｙ軸方向に回転するローラを転接させ、これらのローラを独自に回動制御することによって、回転体５６をＸ、Ｙ軸方向に回動動作するように構成したパチンコ機、スロットマシン、又は占い用装置の回転式表示装置」が記載されていると認める。
　
　［引用例２］には、次の事項が記載されている。
・「【０００１】【産業上の利用分野】本発明は、複数の識別情報が形成された回転部材を備えた可変表示装置に関し、特に遊技機に使用される可変表示装置に関するものである。」（１欄１１〜１３行）
・「【００１９】回転ドラム３１ａ〜３１ｃは、それ自体が透光性のある部材で形成されると共に、その裏面（内周面）に光を散乱すべく散乱面部３５ａ〜３５ｃが形成され、その表面（外周面）にシール状の図柄列３６ａ〜３６ｃが貼付されている。散乱面部３５ａ〜３５ｃは、図３に示すように（ただし、図３では１つの回転ドラム３１ａについてだけ示すが、他の回転ドラム３１ｂ，３１ｃも同じである；以下、図３に関する説明において同様に解釈する）、縦の平目状のローレット加工を施すことによって形成されている。また、図柄列３６ａ〜３６ｃは、前記したように複数の図柄が描かれている。なお、シール状の図柄列３６ａ〜３６ｃの図柄が描かれている部分は、光を透過するように透明又は半透明に形成する必要があるが、図柄以外の生地の部分は、光を全く透過しない色であっても良いし、あるいは光を透過する色であっても良い。光を全く透過しない色とした場合には、より鮮明に図柄が表示されることになる。同様に考えて、回転ドラム３１ａ〜３１ｂの外周面を図柄の外形形状に沿った形状をくり貫くように非透光性の部材で構成し、そのくり貫いた部分に透光性のある部材で形成した図柄を嵌め込むことにより構成した回転ドラム３１ａ〜３１ｃであっても良い。この場合には、透光性のある部材で形成した図柄に散乱面部を形成すれば良い。」（４欄４６行〜５欄１８行）
・「【００２１】更に、モータ取付板３２ａ〜３２ｃの前方には、照射ランプ装置４１ａ〜４１ｃが取り付けられている。この照射ランプ装置４１ａ〜４１ｃは、前面が開放し且つ上下方向に３つに区画されたランプ収容室にそれぞれ上段ドラムランプ４２ａ〜４２ｃ、中段ドラムランプ４３ａ〜４３ｃ、下段ドラムランプ４４ａ〜４４ｃを収納する構造となっている。しかして、各ドラムランプ４２ａ〜４２ｃ、４３ａ〜４３ｃ、４４ａ〜４４ｃは、図２に示すように、前記透視レンズ部２７から遊技者によって透視し得るそれぞれ３つづつの図柄の裏面を照射するように構成され、可変表示装置２０が可変表示しているときに点灯するようになっている。なお、ドラムランプ４２ａ〜４２ｃ、４３ａ〜４３ｃ、４４ａ〜４４ｃの照射能力を高めるために、ランプ収容室の内周面は、光を反射し易い色（例えば、白又は金属光沢色）とされている。」（５欄３０〜４５行）
　
　［引用例３］には、次の事項が記載されている。
・「【０００１】【産業上の利用分野】本発明は、複数種類の図柄同志の可変表示結果において、予め定められた所定の図柄の組合せ状態となった場合に対応して遊技者にとって有利とされる特別遊技状態を呈することが可能とされた図柄可変表示装置付遊技機に関するものである。」（１欄２０〜２４行）
・「【００１８】また、各々の図柄表示ユニット９１において、図柄基盤９２では、その片側に前記モータ９３及び接続具９５の他に、後部の所定位置で各図柄の位置を検出する１個の検出具９６と、前部で図柄を照明する適数個のランプ９７が配設されており、また、他側にこれら電気部品に係る必要な制御回路９８が構成されている。これに対し、図柄ドラム９９は、平プーリ状に成形された透明な合成樹脂製のものであって、当該のモータ９３の軸９４に連結されており、その外周に各種所定数の図柄ｄを配列した透光性の図柄帯１００が巻回して装着され、また、内周に検出具９６に対する１個の遮光式のインデックス１０１が図柄帯１００の所定位置（継ぎ目位置）を基準にして取着されている。なお、図柄ドラム９９の外周に描かれる図柄ｄは、必ずしも図柄帯１００でなくても良く、直接回転ドラム９９の外周に印刷又は転写等により描いても良い。なお、前記検出具９６は、インデックス１０１で遮光された時点で検出（ＯＮ）状態とされてモータ９３及び図柄ドラム９９の１回転（３６０度）を検出するように設定されている。」（６欄２９〜４７行）
　
　［引用例４］には、次の事項が記載されている。
・「【０００１】【産業上の利用分野】この発明は、図柄組合わせ式遊技機用の図柄可変表示装置に関し、更に詳しくは、パチンコ球やコインを使用して複数種類の図柄の組合わせゲームを行ない、停止表示された図柄同志の組合わせ(整列)による入賞成立時に、遊技者にとって有利とされる特別遊技状態を呈することが可能とされた遊技機に実施される回転表示形式の図柄可変表示装置に関するものである。」（１欄３５〜４３行）
・「【００１８】これに対して夫々の図柄ドラム５４は、その素地体として、例えばポリカーボネート樹脂材により、図５に示す平プーリ状に成形されて、前記照明手段５１の照射に対して好適に色彩変化し得る下地色(例えば黄色)の有色透明とされており、一定平滑幅の円胴部５５内の一方に、図示４本のアーム５６およびモータ４７側に連結されるボス部５７が連設されている。そして円胴部５５外周面に、後述する各種の図柄５９ａ,５９ｂ,５９ｃが熱転写方式で絵付け配置されていると共に、円胴部５５内の他方に図柄の基準指標位置となる１個のインデックス５８が半径内方向に突設されている。なお、インデックス５８には、前記検出具５０に対する遮光面が形成されている。」（７欄２３〜３５行）
　
（４）対比・判断
　ここで、訂正発明１と引用例１に記載の発明とを対比すると、引用例１には、訂正発明１を特定し、本件訂正によって限定された事項である「その第一の回転駆動部は前記回転表示体の内側に収容されていること」の構成（Ａ）が記載されてなく、また該構成（Ａ）が自明のこととも認められない。
　また、同じく訂正発明９と引用例１に記載の発明、或いは、訂正発明１４と引用例１に記載の発明とを対比しても、上記引用例１には、訂正発明９及び訂正発明１４がそれぞれ引用している請求項１に係る訂正発明１の前記構成（Ａ）が記載されてなく、また該構成（Ａ）が自明のこととも認められない。
　そして、訂正発明１、訂正発明９及び訂正発明１４のそれぞれは、前記構成（Ａ）により明細書に記載の効果を奏するものと認められる。
　そうしてみると、訂正発明１、訂正発明９及び訂正発明１４は、上記引用例１に記載された発明と同一であるということができない。
　したがって、訂正発明１、訂正発明９及び訂正発明１４は、特許出願の際独立して特許を受けることができるものである。
　
４．むすび
　以上のとおりであるから、上記訂正請求は、平成１１年改正前の特許法第１２０条の４第２項及び同条第３項の規定において準用する特許法第１２６条第２項から第４項までの訂正に関する規定に適合するので、当該訂正を認める。
　
三、特許異議申立てについて
１．特許異議申立理由の概要
　申立人は下記の証拠方法を提示して、次のように主張している。
（１）本件の訂正前の請求項１及び請求項２に係る発明は、甲第１号証又は甲第２号証に記載された発明と同一であり、また、（２）本件の訂正前の請求項３、請求項１０、請求項１１及び請求項１５に係る発明は、甲第１号証に記載された発明と同一であり、しかも、本件発明の特許出願のときにおいて、本件発明の特許出願人が甲第１号証又は甲第２号証に係る発明の特許出願人と同一であるとも、また本件特許に係る発明をした者が甲第１号証又は甲第２号証の特許出願の発明者と同一の者であるとも認めることができないから、本件の訂正前の請求項１、請求項２、請求項３、請求項１０、請求項１１、及び請求項１５に係る発明の特許は、特許法第２９条の２第１項の規定に違背してなされたものであり、本件特許は取り消されるべきである、と主張している。
　　　　　　　　　　　　　　　　　記
［甲第１号証］：特願平７−６６５４号（特開平８−１９１９３４号公報参照）の願書に最初に添付した明細書及び図面
［甲第２号証］：特願平７−６６５５号（特開平８−１９１９３５号公報参照）の願書に最初に添付した明細書及び図面（上記引用例１参照）
［甲第３号証］：特開平５−８４３４９号公報（上記引用例２参照）
［甲第４号証］：特開平５−１７７０４２号公報（上記引用例３参照）
［甲第５号証］：特開平６−２２５９６２号公報（上記引用例４参照）
　
２．当審の判断
（１）異議申立で申立てられた本件発明
　異議申立で申立てられた本件の訂正前の請求項１、請求項２、請求項３、請求項１０、請求項１１及び請求項１５に係る発明は、実質的にそれぞれ、訂正明細書の特許請求の範囲の請求項１、請求項９、請求項１、請求項８、請求項１０及び請求項１４に係る発明に対応し、該請求項１、請求項８〜請求項１０、請求項１４に係る発明は、訂正明細書の請求項１、請求項８〜請求項１０、請求項１４に記載された事項により特定される次のとおりのもである。
　「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されていることを特徴とする遊技機の表示装置。」
　「【請求項８】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされていることを特徴とする遊技機の表示装置。」
　「【請求項９】前記回転表示体は透光性の材料により中空に形成され、その内側に発光部が設けられている請求項１ないし８のいずれかに記載の表示装置。」
　「【請求項１０】前記第一の回転軸線の少なくとも一方の端部側において、前記回転表示体の該第一の回転軸線の周りでの回転を許容した状態で、該回転表示体を支持する表示体支持部を備え、前記第二の回転駆動部は、前記第二の回転軸線の周りにおいて、前記表示体支持部を前記回転表示体と一体的に回転させるモータを含むものとされている請求項１ないし９のいずれかに記載の表示装置。」
　「【請求項１４】前記回転表示体に形成された複数の画像のうち、その一部のものを除いて他のものを遮蔽する画像遮蔽部が形成されている請求項１ないし１３のいずれかに記載の表示装置。」
　
（２）甲号各証に記載の発明
　［甲第１号証］は、本件の特許出願の日前の他の特許出願であつて当該特許出願後に出願公開がされた出願の願書に最初に添附した明細書及び図面であり、該甲第１号証には、次の事項が記載されている。
・「【０００１】【産業上の利用分野】本発明は、回転体を回動後停止させ、そのときの回転体上の所定位置における表示態様を表示する回転式表示装置に関する。」（２欄４４〜４７行）
・「【００３９】（図柄）上述の如く構成した回転体５６の外周表面部には、図９に示す如き、一連の図柄１４８、１５０、１５２、１５４、１５６、１５８を表示する。この図柄は、４個の当り図柄、１４８、１５２、１５４、１５８と、２個の外れ図柄１５０、１５６とで構成される。これらの図柄１４８、１５０、１５２、１５４、１５６、１５８は、回転体５６における、回転体５６の中心を通りＹ軸（回転軸８４）に直交する平面と、回転体５６の外周面との交わる部所である一対の殻体６２、６４の接合周部Ｓに沿って一連の環状に配置される。さらに、各図柄１４８、１５０、１５２、１５４、１５６、１５８は、回転体５６の外周部を６分割した各範囲内にそれぞれ表示される。なお、図９は回転体５６の外周へ曲面状に表示される図柄を説明の便宜上、平面上に表示してある。【００４０】（駆動機構）図１、及び図７に示すように、回転体５６に挿通された回転軸８４の一対の殻体６２、６４から延出された両端部は、それぞれ保持フレーム８６の軸受部８８に回動自由に挿通され軸支される。さらに、回転軸８４の各軸受部８８から延出した両端部には、それぞれ回転体固定歯車９０を固着し、この回転体固定歯車９０と回転軸８４と、一対の殻体６２、６４とが軸受部８８に軸支されてＹ軸回りに一体的に回動するようにする。【００４１】保持フレーム８６は、半球殻形状をしており、その半球面中央に穿設した円形開口から一体的に円筒状軸部９２が形成される。円筒状軸部９２は、機構支持板５２に立設した円筒状の旋回軸９４の外周に嵌められて軸支される。また、円筒状軸部９２の自由端部には、軸直角横方向に延びるフランジ状の旋回被動歯車９６が一体に形成される。【００４２】この旋回被動歯車９６は、機構支持板５２に設けたステッピングモータである旋回駆動源９８の駆動歯車１００に噛合される。これにより、旋回駆動源９８を駆動して、駆動歯車１００から旋回被動歯車９６に回転を伝達し、保持フレーム８６及び回転体５６を図１のＸ軸回りに回動させるようにする。【００４３】なお、図１の構成では、Ｘ軸とＹ軸とが直角に交差する構成であるが、Ｘ軸とＹ軸とは方向が異るように構成されていれば、互に直角以外の角度で交差したり、くい違い状態でも良い。【００４４】保持フレーム８６の外側には、介在歯車１０２が装着される。介在歯車１０２は、半球殻形状をしており、その半球面中央の円形開口から一体に円筒状の軸筒部１０４が形成される。軸筒部１０４は、円筒状軸部９２の外周に嵌められて軸支される。介在歯車１０２の半球殻形の広口周端部には、歯車１０６を形成し、回転体５６の各回転体固定歯車９０を噛合させる。【００４５】介在歯車１０２の軸筒部１０４の自由端部には、直角横方向に延びるフランジ状の回転被動歯車１０８が同軸一体に形成される。この回転被動歯車１０８は、機構支持板５２に設けたステッピングモータである回転駆動源１１０の駆動歯車１１２に噛合される。これにより、回転駆動源１１０を駆動して、駆動歯車１１２から回転被動歯車１０８に回転を伝達し、介在歯車１０２をＸ軸回りに回転する。そして介在歯車１０２の歯部１０６に噛合する回転体固定歯車９０が回動されて、回転体固定歯車９０と一体の回転軸８４と回転体５６が図１のＹ軸回りに回動される。回転体５６がＸ軸回りに回転する場合には、回転体固定歯車９０は回転軸８４と共に回転しながら歯部１０６とかみ合いながら歯部１０６を移動（公転移動）する。【００４６】なお、本第１実施例では駆動源９８、１１０の動力を伝達するための歯車機構を用いたが、ベルト、チェーン等の巻掛け伝動機構等の、種々の動力伝達機構を用いても良い。」（８欄５０行〜１０欄１５行）
・「【０１２７】（第６実施例）次に、本発明の第６実施例を図２４によって説明する。本第６実施例は、駆動機構を改良したものである。【０１２８】本第６実施例では、前述した図１、図３、図４、図５、図６、及び図７に示す第１実施例の回転体５６を用いて構成する。回転体５６に固着された軸棒８４の両端近部には、それぞれ、回転体固定歯車９０を取り付ける。この回転体固定歯車９０は、少なくとも１つが軸棒８４に固定されれば良く、他のものは軸支されていても良い。回転体固定歯車９０は介在歯車１０２の歯部１０６に噛合される。【０１２９】介在歯車１０２は半球形状に構成され、その大きく開いた開口周部に歯部１０６が形成され、回転体５６に隣接して配置される。介在歯車１０２の中央部に設けられた軸棒部３２６には、モータである回転駆動源１１０の駆動軸が固着される。【０１３０】さらに、回転体５６の軸棒８４の両端部は、それぞれ、保持フレーム８６の軸受部８８に軸支される。保持フレーム８６の中央部に設けられた軸筒部３２８は、機構支持板５２に筒状に一体に突設された軸受筒部３２２に挿通し、軸支される。【０１３１】保持フレーム８６の軸筒部３２５には、つば状に突設され、外周部に歯を形成いた平歯車部３３０を設ける。平歯車部３３０は、モータである旋回駆動源９８の駆動歯車１００に噛合して構成される。【０１３２】次に、上述のように構成した本第６実施例の作用、及び動作を説明する。まず、旋回駆動源９８を回動制御すると、駆動歯車１００に噛合する平歯車部３３０が回動され、これと一体になって回転体５６がＸ軸の回りに回動する。【０１３３】また、回転駆動源１１０を回動制御すると、その駆動軸と一体の介在歯車１０２が回動され、介在歯車１０２に噛合する回転体固定歯車９０が回動されることにより、回転体５６がＹ軸の回りに回動する。」（２０欄２６行〜２１欄９行）
・「【０１４５】（第８実施例）次に、本発明の第８実施例を図２６乃至図２８によって説明する。本第８実施例は、球形回転体の内部に、回転体駆動用の駆動機構の一部を配置して構成したものである。」（２２欄３〜６行）
　［甲第２号証］には、上記二、の「３．独立特許要件の判断」の（３）各引用例に記載の発明の欄に、引用例１に記載の発明として記載したとおりの事項が記載されている。
　［甲第３号証］には、上記二、の「３．独立特許要件の判断」の（３）各引用例に記載の発明の欄に、引用例２に記載の発明として記載したとおりの事項が記載されている。
　［甲第４号証］には、上記二、の「３．独立特許要件の判断」の（３）各引用例に記載の発明の欄に、引用例３に記載の発明として記載したとおりの事項が記載されている。
　［甲第５号証］には、上記二、の「３．独立特許要件の判断」の（３）各引用例に記載の発明の欄に、引用例４に記載の発明として記載したとおりの事項が記載されている。
　
（３）判断
　ａ．請求項１に係る発明（以下、「本件発明１」という。）について：
　ここで、本件発明１と甲第２号証（引用例１）に記載の発明とを対比すると、上記二、の「３．独立特許要件の判断」の（４）対比・判断の欄に、訂正発明１と引用例１に記載の発明との対比について記載したとおり、甲第２号証（引用例１）には、本件発明１を特定する事項である「その第一の回転駆動部は前記回転表示体の内側に収容されていること」の構成（Ａ）が記載されてなく、また該構成（Ａ）が自明のこととも認めることができない。
　また、本件発明１と甲第１号証、或いは、甲第３号証（引用例２）、甲第４号証（引用例３）及び甲第５号証（引用例４）に記載の発明とを対比しても、前記甲第１号証、甲第３号証（引用例２）、甲第４号証（引用例３）及び甲第５号証（引用例４）には、本件発明１の前記構成（Ａ）が記載されてなく、また該構成（Ａ）が自明のこととも認めることができない。
　そして、本件発明１は、前記構成（Ａ）により明細書に記載の効果を奏するものと認められるから、本件発明１を、甲第１号証又は甲第２号証に記載された発明と同一であるとすることができない。
　
　ｂ．請求項８に係る発明（以下、「本件発明８」という。）について：
　本件発明８と甲第２号証（引用例１）に記載の発明とを対比すると、甲第２号証（引用例１）には、本件発明８を特定する事項である「前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされていること」の構成（Ｂ）が記載されてなく、また該構成（Ｂ）が自明のこととも認めることができない。
　また、本件発明８と甲第１号証、或いは、甲第３号証（引用例２）、甲第４号証（引用例３）及び甲第５号証（引用例４）に記載の発明とを対比しても、前記甲第１号証、甲第３号証（引用例２）、甲第４号証（引用例３）及び甲第５号証（引用例４）には、本件発明８の前記構成（Ｂ）が記載されてなく、また該構成（Ｂ）が自明のこととも認めることができない。
　そして、本件発明８は、前記構成（Ｂ）により明細書に記載の効果を奏するものと認められるから、本件発明８を、甲第１号証に記載された発明と同一であるとすることができない。
　
　ｃ．請求項９に係る発明（以下、「本件発明９」という。）について：
　つぎに、本件発明９と甲第２号証（引用例１）に記載の発明とを対比すると、甲第２号証（引用例１）には、本件発明９を特定する事項である前記構成（Ａ）又は構成（Ｂ）が記載されてなく、また該構成（Ａ）及び構成（Ｂ）が自明のこととも認めることができない。
　また、本件発明９と甲第１号証、甲第３号証（引用例２）、甲第４号証（引用例３）及び甲第５号証（引用例４）に記載の発明とを対比しても、前記甲第１号証、甲第３号証（引用例２）、甲第４号証（引用例３）及び甲第５号証（引用例４）には、本件発明９の前記構成（Ａ）又は構成（Ｂ）が記載されてなく、また該構成（Ａ）及び構成（Ｂ）が自明のこととも認めることができない。
　そして、本件発明９は、前記構成（Ａ）又は構成（Ｂ）により明細書に記載の効果を奏するものと認められるから、本件発明９を、甲第１号証又は甲第２号証に記載された発明と同一であるとすることができない。
　
　ｄ．請求項１０に係る発明及び請求項１４に係る発明（以下、順に「本件発明１０」及び「本件発明１４」という。）について：
　本件発明１０及び本件発明１４については、前記「ｃ．請求項９に係る発明について：」に記載した判断と同様であり、前記甲第１号証、甲第３号証（引用例２）、甲第４号証（引用例３）及び甲第５号証（引用例４）に、本件発明１０及び本件発明１４を特定する事項である前記構成（Ａ）又は構成（Ｂ）が記載されてなく、また該構成（Ａ）及び構成（Ｂ）が自明のこととも認めることができない。
　そして、本件発明１０及び本件発明１４のそれぞれは、前記構成（Ａ）又は構成（Ｂ）により明細書に記載の効果を奏するものと認められるから、本件発明１０及び本件発明１４のそれぞれを、甲第１号証に記載された発明と同一であるとすることができない。
　
３．むすび
　以上のとおりであるから、特許異議の申立ての理由によっては本件発明についての特許を取り消すことができない。
　また、他に本件発明についての特許を取り消すべき理由を発見しない。
　よって、結論のとおり決定する。
【異議決定日】
平成１２年７月２５日（２０００．７．２５）
【訂正の要旨】
訂正の要旨
［訂正事項ａ］
　特許明細書の【特許請求の範囲】の
「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部と、を備えたことを特徴とする遊技機の表示装置。」の記載を、
特許請求の範囲の減縮を目的として、
「【請求項１】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されていることを特徴とする遊技機の表示装置。」と訂正する。
［訂正事項ｂ］
　特許明細書の【特許請求の範囲】の
「【請求項２】前記回転表示体は透光性の材料により中空に形成され、その内側に発光部が設けられている請求項１記載の表示装置。」の記載を、
特許請求の範囲の減縮を目的として、
「【請求項２】前記第一の回転駆動部は、前記回転表示体の内部を貫通して設けられ、前記第一の回転軸線を形成する固定軸と、前記回転表示体の内部においてその固定軸と一体に設けられたステ一夕部と、前記回転表示体の内部においてこれと一体的に、かつ前記ステータ部の外側に設けられて、そのステータ部の周りで回転することにより、前記回転表示体を前記固定軸の周りで回転させるロータ部と、を備えたモータとされている請求項１記載の表示装置。」と訂正する。
［訂正事項ｃ］
　特許明細書の【特許請求の範囲】の
「【請求項３】前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されている請求項１又は２に記載の表示装置。」の記載を、
特許請求の範囲の減縮を目的として、
「【請求項３】前記回転表示体は、前記ロ一タ部に対して着脱可能に設けられている請求項２記載の表示装置。」と訂正する。
［訂正事項ｄ］
　特許明細書の【特許請求の範囲】の
「【請求項４】前記第一の回転駆動部は、前記回転表示体の内部を貫通して設けられ、前記第一の回転軸線を形成する固定軸と、前記回転表示体の内部においてその固定軸と一体に設けられたステータ部と、前記回転表示体の内部においてこれと一体的に、かつ前記ステータ部の外側に設けられて、そのステータ部の周りで回転することにより、前記回転表示体を前記固定軸の周りで回転させるロータ部と、を備えたモータとされている請求項３記載の表示装置。」の記載を、
特許請求の範囲の減縮を目的として、
「【請求項４】前記ロータ部は、前記固定軸を貫通させる貫通孔を有して前記ステータ部を外側から覆うように設けられ、該貫通孔に装着されたベアリングを介して前記固定軸により回転可能に支持されるとともに、前記回転表示体には、該固定軸の両端部に対応してそれぞれこれを貫通させる貫通孔が形成されている請求項３記載の表示装置。」と訂正する。
［訂正事項ｅ］
　特許明細書の【特許請求の範囲】の
「【請求項５】前記回転表示体は、前記ロータ部に対して着脱可能に設けられている請求項４記載の表示装置。」の記載を、
特許請求の範囲の減縮を目的として、
「【請求項５】前記回転表示体は、前記固定軸の軸線を含む面により分割して形成された２つのプラスチック部材とされ、それぞれその分割側の開口縁部において、前記固定軸を挟む形で互いに嵌合・一体化されるとともに、両プラスチック部材側に形成された表示体側係合部と、前記ロ一タ部側に形成されたロータ側係合部との係合又は離脱により、前記ロータ部に対して着脱される請求項４記載の表示装置。」と訂正する。
［訂正事項ｆ］
　特許明細書の【特許請求の範囲】の
「【請求項６】前記ロータ部は、前記固定軸を貫通させる貫通孔を有して前記ステータ部を外側から覆うように設けられ、該貫通孔に装着されたベアリングを介して前記固定軸により回転可能に支持されるとともに、前記回転表示体には、該固定軸の両端部に対応してそれぞれこれを貫通させる貫通孔が形成されている請求項５記載の表示装置。」の記載を、
特許請求の範囲の減縮を目的として、
「【請求項６】前記固定軸は中空に形成され、前記発光部は前記固定軸上に固定されるとともにそのリード部が該固定軸の内側を通されている請求項２ないし５のいずれかに記載の表示装置。」と訂正する。
［訂正事項ｇ］
　特許明細書の【特許請求の範囲】の
「【請求項７】前記回転表示体は、前記固定軸の軸線を含む面により分割して形成された２つのプラスチック部材とされ、それぞれその分割側の開口縁部において、前記固定軸を挟む形で互いに嵌合・一体化されるとともに、両プラスチック部材側に形成された表示体側係合部と、前記ロータ部側に形成されたロータ側係合部との係合又は離脱により、前記ロータ部に対して着脱される請求項６記載の表示装置。」の記載を、
特許請求の範囲の減縮を目的として、
「【請求項７】前記ロータ部の前記第一の回転軸線方向における少なくとも一方の端面に、該ロータ部と一体回転可能な１又は複数の被検出部が形成され、前記固定軸上に設けられた検出手段による前記被検出部の検出に基づいて、前記ロータ部と一体回転する前記回転表示体の回転位置が検出されるようにした請求項４ないし６のいずれかに記載の表示装置。」と訂正する。
［訂正事項ｈ］
　特許明細書の【特許請求の範囲】の
「【請求項８】前記固定軸は中空に形成され、前記発光部は前記固定軸上に固定されるとともにそのリード部が該固定軸の内側を通されている請求項４ないし７のいずれかに記載の表示装置。」の記載を、
特許請求の範囲の減縮を目的として、
「【請求項８】２以上の互いに交差する回転軸線の周りにそれぞれ独立に回転可能に支持され、かつその外側面を表示面として複数の画像が形成された回転表示体と、前記各回転軸線に対応して設けられ、前記回転表示体をそれら回転軸線の周りでそれぞれ独立に回転駆動する回転駆動部とを備え、前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされていることを特徴とする遊技機の表示装置。」と訂正する。
［訂正事項ｉ］
　特許明細書の【特許請求の範囲】の
「【請求項９】前記ロータ部の前記第一の回転軸線方向における少なくとも一方の端面に、該ロータ部と一体回転可能な１又は複数の被検出部が形成され、前記固定軸上に設けられた検出手段による前記被検出部の検出に基づいて、前記ロータ部と一体回転する前記回転表示体の回転位置が検出されるようにした請求項６ないし８のいずれかに記載の表示装置。」の記載を、
特許請求の範囲の減縮を目的として、
「【請求項９】前記回転表示体は透光性の材料により中空に形成され、その内側に発光部が設けられている請求項１ないし８のいずれかに記載の表示装置。」と訂正する。
［訂正事項ｊ］
　特許明細書の【特許請求の範囲】の
「【請求項１０】前記回転表示体は、第一及び第二の回転駆動部により、互いに交差する第一及び第二の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされている請求項１又は２に記載の表示装置。」の記載を、
特許請求の範囲の減縮を目的として、
「【請求項１０】前記第一の回転軸線の少なくとも一方の端部側において、前記回転表示体の該第一の回転軸線の周りでの回転を許容した状態で、該回転表示体を支持する表示体支持部を備え、前記第二の回転駆動部は、前記第二の回転軸線の周りにおいて、前記表示体支持部を前記回転表示体と一体的に回転させるモータを含むものとされている請求項１ないし９のいずれかに記載の表示装置。」と訂正する。
［訂正事項ｋ］
　特許明細書の【特許請求の範囲】の
「【請求項１１】前記第一の回転軸線の少なくとも一方の端部側において、前記回転表示体の該第一の回転軸線の周りでの回転を許容した状態で、該回転表示体を支持する表示体支持部を備え、前記第二の回転駆動部は、前記第二の回転軸線の周りにおいて、前記表示体支持部を前記回転表示体と一体的に回転させるモータを含むものとされている請求項３ないし１０のいずれかに記載の表示装置。」の記載を、
特許請求の範囲の減縮を目的として、
「【請求項１１】前記第二の回転駆動部を形成する前記モータのモータ軸は、前記表示体支持部が結合されているのとは反対側において、モータ本体を貫通するように延びるととともに、その末端部に該モータ軸と一体回転可能に被検出部が設けられ、該モータ軸の末端部に近接して、その限界回転位置に対応する位置に前記被検出部を検出するための検出手段が設けられている請求項１０記載の表示装置。」と訂正する。
［訂正事項ｌ］
　特許明細書の【特許請求の範囲】の
「【請求項１２】前記第二の回転駆動部を形成する前記モータのモータ軸は、前記表示体支持部が結合されているのとは反対側において、モータ本体を貫通するように延びるととともに、その末端部に該モータ軸と一体回転可能に被検出部が設けられ、該モータ軸の末端部に近接して、その限界回転位置に対応する位置に前記被検出部を検出するための検出手段が設けられている請求項１１記載の表示装置。」の記載を、
特許請求の範囲の減縮を目的として、
「【請求項１２】前記回転表示体は球状に形成され、前記第一及び第二の回転軸線は、その球状の回転表示体のほぼ中心付近で互いにほぼ直交するものとされ、さらに、前記第一及び第二の回転軸線のいずれか一方とそれぞれ直交し、かつその回転軸線に沿って所定の間隔で配列する複数の平面と、前記回転表示体の表面との交線に沿って設定された複数の円周経路に沿って、それぞれ前記複数の画像が所定の間隔で配列されている請求項１ないし１１のいずれかに記載の表示装置。」と訂正する。
［訂正事項ｍ］
　特許明細書の【特許請求の範囲】の
「【請求項１３】前記回転表示体は球状に形成され、前記第一及び第二の回転軸線は、その球状の回転表示体のぼぼ中心付近で互いにほぼ直交するものとされ、さらに、前記第一及び第二の回転軸線のいずれか一方とそれぞれ直交し、かつその回転軸線に沿って所定の間隔で配列する複数の平面と、前記回転表示体の表面との交線に沿って設定された複数の円周経路に沿って、それぞれ前記複数の画像が所定の間隔で配列されている請求項３ないし１２のいずれかに記載の表示装置。」の記載を、
特許請求の範囲の減縮を目的として、
「【請求項１３】前記回転表示体は球状に形成され、前記第一及び第二の回転軸線は、その球状の回転表示体の中心付近で互いにほぼ直交するものとされ、さらに、前記第一及び第二の回転軸線のいずれか一方を含み、かつその回転軸線の周りに所定の角度間隔で配列する複数の平面と、前記回転表示体の表面との交線に沿って設定された複数の円周経路上に、それぞれ前記複数の画像が所定の間隔で配列されている請求項１ないし１２のいずれかに記載の表示装置。」と訂正する。
［訂正事項ｎ］
　特許明細書の【特許請求の範囲】の
「【請求項１４】前記回転表示体は球状に形成され、前記第一及び第二の回転軸線は、その球状の回転表示体の中心付近で互いにほぼ直交するものとされ、さらに、前記第一及び第二の回転軸線のいずれか一方を含み、かつその回転軸線の周りに所定の角度間隔で配列する複数の平面と、前記回転表示体の表面との交線に沿って設定された複数の円周経路上に、それぞれ前記複数の画像が所定の間隔で配列されている請求項３ないし１３のいずれかに記載の表示装置。」の記載を、特許請求の範囲の減縮を目的として、
「【請求項１４】前記回転表示体に形成された複数の画像のうち、その一部のものを除いて他のものを遮蔽する画像遮蔽部が形成されている請求項１ないし１３のいずれかに記載の表示装置。」と訂正する。
［訂正事項ｏ］
　特許明細書の【特許請求の範囲】の
「【請求項１５】前記回転表示体に形成された複数の画像のうち、その一部のものを除いて他のものを遮蔽する画像遮蔽部が形成されている請求項１ないし１４のいずれかに記載の表示装置。」の記載を、
特許請求の範囲の減縮を目的として、
「【請求項１５】前記回転表示体の両側にそれぞれ配置されるドラム式表示体であって、直径が軸方向長さよりも大きく形成された偏平円筒状の本体部を有し、その本体部の外周面に沿って複数の画像が所定の間隔で形成されるとともに、自身の円筒中心線を回転軸線として、その回転軸線の向きが前記回転表示体の第一の回転軸線の向きとほぼ一致するように配置されるドラム式表示体と、それらドラム式表示体を回転駆動するドラム式表示体駆動部と、を備えた請求項１ないし１４のいずれかに記載の表示装置。」と訂正する。
［訂正事項ｐ］
　特許明細書の【特許請求の範囲】の
「【請求項１６】前記回転表示体の両側にそれぞれ配置されるドラム式表示体であって、直径が軸方向長さよりも大きく形成された偏平円筒状の本体部を有し、その本体部の外周面に沿って複数の画像が所定の間隔で形成されるとともに、自身の円筒中心線を回転軸線として、その回転軸線の向きが前記回転表示体の第一の回転軸線の向きとほぼ一致するように配置されるドラム式表示体と、それらドラム式表示体を回転駆動するドラム式表示体駆動部と、を備えた請求項３ないし１５のいずれかに記載の表示装置。」の記載を、
特許請求の範囲の減縮を目的として、
「【請求項１６】前記回転表示体の前記第一の回転軸線方向における両側部が、それぞれ対応する側の前記ドラム式表示体の内側に入り込むように配置されている請求項１５記載の表示装置。」と訂正する。
［訂正事項ｑ］
　特許明細書の【特許請求の範囲】の
「【請求項１７】前記回転表示体の前記第一の回転軸線方向における両側部が、それぞれ対応する側の前記ドラム式表示体の内側に入り込むように配置されている請求項１６記載の表示装置。」の記載を、
特許請求の範囲の減縮を目的として、
削除する。
（５４）【発明の名称】
遊技機の表示装置
（５７）【特許請求の範囲】
　　【請求項１】　２以上の互いに交差する回転軸線の周りにそれぞれ独立に回転可能に支持され、かつその外側面を表示面として複数の画像が形成された回転表示体と、
　前記各回転軸線に対応して設けられ、前記回転表示体をそれら回転軸線の周りでそれぞれ独立に回転駆動する回転駆動部と
を備え、
　前記回転表示体は、第一及び第二の回転駆動部により、互いに交差する第一及び第二の回転軸線の周りでそれぞれ独立に回転駆動されるとともに、その第一の回転駆動部は前記回転表示体の内側に収容されている
　　【請求項２】　
前記第一の回転駆動部は、
　前記回転表示体の内部を貫通して設けられ、前記第一の回転軸線を形成する固定軸と、
　前記回転表示体の内部においてその固定軸と一体に設けられたステータ部と、前記回転表示体の内部においてこれと一体的に、かつ前記ステータ部の外側に設けられて、そのステータ部の周りで回転することにより、前記回転表示体を前記固定軸の周りで回転させるロータ部と、
　を備えたモータとされている請求項１
　　【請求項３】　
前記回転表示体は、前記ロータ部に対して着脱可能に設けられている請求項２
　　【請求項４】　
前記ロータ部は、前記固定軸を貫通させる貫通孔を有して前記ステータ部を外側から覆うように設けられ、該貫通孔に装着されたベアリングを介して前記固定軸により回転可能に支持されるとともに、
　前記回転表示体には、該固定軸の両端部に対応してそれぞれこれを貫通させる貫通孔が形成されている請求項３
　　【請求項５】　
前記回転表示体は、前記固定軸の軸線を含む面により分割して形成された２つのプラスチック部材とされ、それぞれその分割側の開口縁部において、前記固定軸を挟む形で互いに嵌合・一体化されるとともに、両プラスチック部材側に形成された表示体側係合部と、前記ロータ部側に形成されたロータ側係合部との係合又は離脱により、前記ロータ部に対して着脱される請求項４
　　【請求項６】　
前記固定軸は中空に形成され、
　前記発光部は前記固定軸上に固定されるとともにそのリード部が該固定軸の内側を通されている請求項２ないし５
　　【請求項７】　
前記ロータ部の前記第一の回転軸線方向における少なくとも一方の端面に、該ロータ部と一体回転可能な１又は複数の被検出部が形成され、前記固定軸上に設けられた検出手段による前記被検出部の検出に基づいて、前記ロータ部と一体回転する前記回転表示体の回転位置が検出されるようにした請求項４ないし６
　　【請求項８】　
２以上の互いに交差する回転軸線の周りにそれぞれ独立に回転可能に支持され、かつその外側面を表示面として複数の画像が形成された回転表示体と、
　
前記各回転軸線に対応して設けられ、前記回転表示体をそれら回転軸線の周りでそれぞれ独立に回転駆動する回転駆動部とを備え、
　前記回転表示体は、第一及び第一の回転駆動部により、互いに交差する第一及び第一の回転軸線の周りでそれぞれ独立に回転駆動されるとともに、その第一の回転駆動部は、前記第一の回転軸線の一方の端部側において、前記回転表示体に対し外側から連結されてこれを該回転軸線の周りで回転させるモータとされていることを特徴とする遊技機の
　　【請求項９】　
前記回転表示体は透光性の材料により中空に形成され、その内側に発光部が設けられている請求項１ないし８のいずれかに
　　【請求項１０】　
前記第一の回転軸線の少なくとも一方の端部側において、前記回転表示体の該第一の回転軸線の周りでの回転を許容した状態で、該回転表示体を支持する表示体支持部を備え、
　前記第ニの回転駆動部は、前記第二の回転軸線の周りにおいて、前記表示体支持部を前記回転表示体と一体的に回転させるモータを含むものとされている
１
９
　　【請求項１１】　
前記第二の回転駆動部を形成する前記モータのモータ軸は、前記表示体支持部が結合されているのとは反対側において、モータ本体を貫通するように延びるととともに、その末端部に該モータ軸と一体回転可能に被検出部が設けられ、
　該モータ軸の末端部に近接して、その限界回転位置に対応する位置に前記被検出部を検出するための検出手段が設けられている
１０
　　【請求項１２】　
前記回転表示体は球状に形成され、前記第一及び第二の回転軸線は、その球状の回転表示体のほぼ中心付近で互いにほぼ直交するものとされ、さらに、
　
前記第一及び第二の回転軸線のいずれか一方とそれぞれ直交し、かつその回転軸線に沿って所定の間隔で配列する複数の平面と、前記回転表示体の表面との交線に沿って設定された複数の円周経路に沿って、それぞれ前記複数の画像が所定の間隔で配列されている
１
１１
　　【請求項１３】　
前記回転表示体は球状に形成され、前記第一及び第二の回転軸線は、その球状の回転表示体の中心付近で互いにほぼ直交するものとされ、さらに、
　前記第一及び第二の回転軸線のいずれか一方を含み、かつその回転軸線の周りに所定の角度間隔で配列する複数の平面と、前記回転表示体の表面との交線に沿って設定された複数の円周経路上に、それぞれ前記複数の画像が所定の間隔で配列されている
１
１２
　　【請求項１４】　
前記回転表示体に形成された複数の画像のうち、その一部のものを除いて他のものを遮蔽する画像遮蔽部が形成されている
１３
　　【請求項１５】　
前記回転表示体の両側にそれぞれ配置されるドラム式表示体であって、直径が軸方向長さよりも大きく形成された偏平円筒状の本体部を有し、その本体部の外周面に沿って複数の画像が所定の間隔で形成されるとともに、自身の円筒中心線を回転軸線として、その回転軸線の向きが前記回転表示体の第一の回転軸線の向きとほぼ一致するように配置されるドラム式表示体と、
　それらドラム式表示体を回転駆動するドラム式表示体駆動部と、
　を備えた
１
１４
　　【請求項１６】　
前記回転表示体の前記第一の回転軸線方向における両側部が、それぞれ対応する側の前記ドラム式表示体の内側に入り込むように配置されている
１５
【発明の詳細な説明】
　　　【０００１】
　　【発明の属する技術分野】
　本発明は、遊技機に使用される表示装置に関する。
　　　【０００２】
　　【従来の技術】
　従来、パチンコ遊技台等の遊技機１００として、図２７（ａ）、及び（ｂ）に示すような表示装置１０１を備えたものが普及している。表示装置１０１は同図（ｂ）に示すように、外周面に複数の画像１０２ａが形成された偏平円筒状のドラム１０２が複数個同軸に配置された構造を有しており、同図（ａ）に示すスタートチャッカ１０３に玉が入賞するとそれらドラム１０２が図示しないモータによりそれぞれ独立に回転させられ、所定時間経過後に回転が停止して、表示窓１０５に所定の組み合わせの画像１０２ａを表示する。遊技機１００には、玉の入賞に対応して抽選を行う抽選手段が別途設けられており、その抽選結果が当選の場合には、表示装置１０１は、横方向あるいは対角線等の並び（ライン）１０６上に、当選に対応する特定の画像１０２ａの組合せ（例えば７７７等）を表示するとともに、遊技機１００はポケット１０４を開く等の所定の当選動作を行う。
　　　【０００３】
　　【発明が解決しようとする課題】
　ところで、上記表示装置１０１においては、ドラム１０２の回転方向や回転速度が変化するようにその回転駆動を制御することにより、停止時の画像の組合せが遊技者に容易に見破られないようにして、遊技者の当選に対する期待感を持続させることが行われている。しかしながら、画像はドラム１０２の側面に１列に並んで形成されている関係上、遊技を続けているうちにドラム１０２の駆動パターンが比較的容易に知れてしまい、上述のような期待感が次第に持続できなくなってしまう欠点があった。
　　　【０００４】
　本発明の課題は、上述のドラム方式の表示装置とは異なる機構を採用することにより、その駆動パターンを見破られにくく、しかも遊技者に斬新な印象を与えることができる表示装置を提供することにある。
　　　【０００５】
　　【課題を解決するための手段及び作用・効果】
　上述の課題を解決するために本発明の表示装置は、２以上の互いに交差する回転軸線の周りにそれぞれ独立に回転可能に支持され、かつその外側面を表示面として複数の画像が形成された回転表示体と、各回転軸線に対応して設けられ、回転表示体をそれら回転軸線の周りでそれぞれ独立に回転駆動する回転駆動部と、を備えたことを特徴とする。
　　　【０００６】
　上述の表示装置によれば、回転表示体は２以上の互いに交差する軸線周り）に回転駆動されることから、従来のドラム式の表示装置のように１方向のみでなく複数の方向に回転することが可能となり、より変化に富んだ画像の表示態様を楽しむことができる。そして、複数方向への回転を組み合せることにより、表示される画像の動きをより複雑なものとすることができるので、画像の表示パターンを遊技者に見破られにくくなる。
　　　【０００７】
　回転表示体は透光性の材料により中空に形成することができ、その内側に発光部を設けることができる。発光部を発光させることにより、回転表示体に形成された画像が照らし出されるので、さらに斬新な表示効果が達成される。この場合、発光部は位置固定に設けても、回転表示体とともに一体回転可能に設けてもいずれでもよい。
　　　【０００８】
　回転表示体は、例えば第一及び第二の回転駆動部により、互いに交差する第一及び第二の回転軸線の周りでそれぞれ独立に回転駆動されるように構成することができる。その場合、第一の回転駆動部は回転表示体の内側に収容されたものとして構成することができる。そして、第一の回転駆動部はさらに具体的に、回転表示体の内部を貫通して設けられ、第一の回転軸線を形成する固定軸と、回転表示体の内部においてその固定軸と一体に設けられたステータ部と、回転表示体の内部においてこれと一体的に、かつステータ部の外側に設けられて、そのステータ部の周りで回転することにより、回転表示体を固定軸の周りで回転させるロータ部とを備えたモータ（以下、アウターロータ型モータという）とすることができる。こうすれば、表示装置をコンパクトに構成することができる。
　　　【０００９】
　上述のようなアウターロータ型モータを使用する場合、以下に説明するような態様が可能である。まず、回転表示体を、ロータ部に対して着脱可能に設けることができる。これにより、例えば表示体を、形成された画像パターンや寸法の異なるものに容易に交換することができるようになり、表示装置の汎用性が向上する。
　　　【００１０】
　具体的には、ロータ部を、固定軸を貫通させる貫通孔を有してステータ部を外側から覆うものとして構成し、これを、該貫通孔に装着されたベアリングを介して固定軸により回転可能に支持させる。そして、回転表示体には、該固定軸の両端部に対応してそれぞれこれを貫通させる貫通孔を形成する。この場合、回転表示体は、固定軸の軸線を含む面により分割して形成された２つのプラスチック部材とすることができる。これらプラスチック部材は、それぞれその分割側の開口縁部において、固定軸を挟む形で互いに嵌合・一体化されるとともに、両プラスチック部材側に形成された表示体側係合部と、ロータ部側に形成されたロータ側係合部との係合又は離脱により、ロータ部に対して着脱される。これにより、回転表示体のロータ部への着脱を極めて容易に行うことができる。
　　　【００１１】
　次に、固定軸は中空に形成することができる。この場合、前述の発光部は該固定軸上に固定することができ、そのリード部を、該固定軸の内側を通すことができる。また、ステータ部へ給電するためのリード部も該固定軸内を通すことができる。これにより、発光部やステータ部からのリード部をコンパクトにまとめることができ、もつれ等も生じにくくなる。
　　　【００１２】
　また、ロータ部の第一の回転軸線方向における少なくとも一方の端面に、該ロータ部と一体回転可能な１又は複数の被検出部を形成することができ、固定軸上に設けられた検出手段による該被検出部の検出に基づいて、ロータ部と一体回転する回転表示体の回転位置を検出するように構成することができる。
　　　【００１３】
　一方、第一の回転駆動部は、第一の回転軸線の一方の端部側において、回転表示体に対し外側から連結されてこれをその回転軸線の周りで回転させるモータとすることもできる。
　　　【００１４】
　次に、第二の回転軸線周りに回転表示体を回転させる機構としては、下記のようなものを例示することができる。すなわち、第一の回転軸線の少なくとも一方の端部側において、回転表示体の第一の回転軸線の周りでの回転を許容した状態で、その回転表示体を支持する表示体支持部を設ける。そして、第二の回転駆動部は、第二の回転軸線の周りにおいて、上記表示体支持部を回転表示体と一体的に回転させるモータを含むものとして構成することができる。
　　　【００１５】
　この場合、第二の回転駆動部を形成するモータのモータ軸を、表示体支持部が結合されているのとは反対側において、モータ本体を貫通するように延びるものとし、その末端部に該モータ軸と一体回転可能に被検出部を設けることができる。そして、そのモータ軸の末端部に近接して、その限界回転位置に対応する位置に上記被検出部を検出するための検出手段を設けることができる。こうすれば、回転表示体の第二の回転軸線周りの回転限界を容易に検出することができる。
　　　【００１６】
　なお、上記第一及び第二の回転駆動部を構成するモータとして、例えばステッピングモータ、サーボモータ等を使用することができる。
　　　【００１７】
　回転表示体は、具体的には球状に形成することができる。この場合、第一及び第二の回転軸線は、その球状の回転表示体のほぼ中心付近で互いにほぼ直交するものとすることができる。
　　　【００１８】
　また、回転表示体が球状に形成される場合、その画像の配置態様としては次のようなものを採用することができる。すなわち、第一及び第二の回転軸線のいずれか一方とそれぞれ直交し、かつその回転軸線に沿って所定の間隔で配列する複数の平面と、回転表示体の表面との交線に沿って複数の円周経路を設定し、その円周経路に沿って複数の画像を所定の間隔で配列する。一方、これとは別の態様として、下記のように画像を配置することもできる。すなわち、第一及び第二の回転軸線のいずれか一方を含み、かつその回転軸線の周りに所定の角度間隔で配列する複数の平面と、回転表示体の表面との交線に沿って設定された複数の円周経路上に、複数の画像を所定の間隔で配列する。
　　　【００１９】
　一方、回転表示体に形成された複数の画像のうち、その一部のものを除いて他のものを遮蔽する画像遮蔽部を形成することができる。
　　　【００２０】
　上述のような回転表示装置を複数組用意してこれを予め定められた配置関係で組合せることにより、各回転表示体に形成された画像を各種組合せで表示する表示装置を構成することができる。その具体的な配置例として、例えば複数の回転表示体を互いに隣接して配置する態様を例示することができる。
　　　【００２１】
　一方、１ないし複数の上記回転表示体と、ドラム式表示体とを組合せた表示装置を構成することもできる。ドラム式表示体は具体的には、直径が軸方向長さよりも大きく形成された偏平円筒状の本体部を有し、その本体部の外周面に沿って複数の画像が所定の間隔で形成されるとともに、自身の中心線を回転軸線としてドラム式表示体駆動部により回転駆動されるものとすることができる。その具体的な配置態様としては、回転表示体の両側に上記ドラム式表示体をそれぞれ配置した構成を例示することができる。この場合、ドラム式表示体の回転軸線の向きが、回転表示体の第一の回転軸線の向きとほぼ一致するように配置することができる。さらに、回転表示体の第一の回転軸線方向における両側部が、それぞれ対応する側のドラム式表示体の内側に入り込むように配置することができ、これにより表示装置全体をコンパクトに構成することができる。
　　　【００２２】
　　【発明の実施の形態】
　以下、本発明の実施の形態を、図面に示すいくつかの実施例を参照しつつ説明する。図１は、本発明の表示装置の一例を示す斜視図である。表示装置４は、球状の回転表示体５２と、その両側にこれと隣接して配置されたドラム式表示体５１及び５３とを備える。ここで、回転表示体５２の両側部は、それぞれ各ドラム式表示体５１及び５３の内側に入り込むように配置されている。
　　　【００２３】
　図２は、回転表示体５２をその駆動部とともに示す断面図であり、中空球状の回転表示体５２に対し、その中心付近を貫通するように固定軸５４がほぼ水平に配置されており、その両端部が回転表示体５２の外側に突出している。その固定軸５４の両端部には、ベアリング等で構成された回転支持部５４ａが設けられており、回転表示体５２はこの回転支持部５４ａにおいて固定軸５４の周りで回転可能に支持されている。
　　　【００２４】
　回転表示体５２の内部において固定軸５４の中間にはこれと一体的にステータヨーク５５ａが設けられ、そのステータヨーク５５ａにステータコイル５５ｂが形成されてステータ部５５を構成している。一方、回転表示体５２の内面には、ステータヨーク５５ａに対向する位置にこれと一体的に永久磁石等で構成されたロータ部５６が配置されている。そしてこのロータ部５６がステータ部５５の周りで回転することにより、回転表示体５２は固定軸５４の周りで回転することとなる。この固定軸５４が第一の回転軸線Ｈを形成し、上記ステータ部５５及びロータ部５６により構成されるモータ５７が第一の回転駆動部を構成している。ここで、上記モータ５７は、例えばステッピングモータないしサーボモータ等で構成される。なお、固定軸５４は中空に構成されており、ステータコイル５５ｂのリード部５５ｃがその内側を通されている。
　　　【００２５】
　一方、固定軸５４の両端部は、回転支持部５４ａの外側において、回転表示体５２の下側面に倣う形状に形成された表示体支持部５８により非回転に支持されており、その表示体支持部５８の中間部には回転軸５９の一端が結合されている。この回転軸５９は、第一の回転軸線Ｈとほぽ直交する第二の回転軸線Ｖを形成する。そして、その回転軸５９の他端側には第二の回転駆動部としてのモータ６０が接続されており、表示体支持部５８を回転表示体５２と一体的に第二の回転軸線Ｖの周りで回転させるようになっている。
　　　【００２６】
　次に、図３に示すようにドラム式表示体５１及び５３は、直径が軸方向長さよりも大きく形成された円筒状の本体部５１ａ及び５３ａを
それぞれ
　　　【００２７】
　次に、図４（ａ）〜（ｃ）に示すように、回転表示体５２の表面には複数の画像６２ａ〜６２ｃが形成されている。それら画像６２ａ〜６２ｃの配置態様であるが、まず画像６２ａは、図４（ａ）に示すように、第一の回転軸線Ｈとそれぞれ直交し、かつ第二の回転軸線Ｖを含む平面Ｐ１と回転表示体５２の表面との交線に沿って形成された円周経路上に所定の間隔で配置されている。一方、画像６２ｂ及び６２ｃは、やはり第一の回転軸線Ｈとそれぞれ直交し、かつ平面Ｐ１からの距離がほぼ等しい２つの平面Ｐ２及びＰ３と回転表示体５２の表面との交線に沿って形成された２つの円周経路上に、それぞれ所定の間隔で配置されている。ここで、図４（ｂ）及び（ｃ）に示すように、画像６２ｂ及び６２ｃは、第一の回転軸線Ｈの周りでほぼ４５°ずれた角度関係で配置されている。
　　　【００２８】
　次に、回転表示体５２及びドラム式表示体５１及び５３の前面側は、例えば図１３に示すように遊技機１の遊技盤２ａに覆われている。そして、図１に示すように、その遊技盤２ａには各表示体５１〜５３に対応する窓部８８ａ〜８８ｃが形成され、各表示体５１〜５３は、それぞれ複数の画像６１、６２ａ〜６２ｃ、６３のうちの１つを選択的にそれら窓部８８ａ〜８８ｃに表示するようになっている。すなわち、遊技盤２ａが画像遮蔽部を構成している。ここで、これら窓部８８ａ〜８８ｃは、互いに隣接して横方向一列に配置されて当選ラインを形成しており、それら窓部８８ａ〜８８ｃに揃う画像６１、６２ａ〜６２ｃ、６３の組合せに応じて当選ないしはずれが認識されることとなる。なお、回転表示体５２に対応する窓部８８ｂは、表示体５２の動きを見やすくして遊技者が後述するその各種動作パターンを楽しむことができるよう、上下方向の寸法が幅方向よりも大きく形成されている。　　　【００２９】
　以下、上記表示装置４の作動について説明する。まず、図５（ａ）に示すように、第一の回転軸線Ｈが遊技盤２ａとほぽ平行な基準位置Ｋにある場合には、回転表示体５２がその第一の回転軸線Ｈの周りで回転することにより、同図（ｂ）に示すように、画像６２ａが窓部８８ｂに対し順次上側から現れて下側へ去ってゆくように表示される。一方、図６（ａ）に示すように、第二の回転軸線Ｖの周りで第一の回転軸線Ｈを、上側から見て基準位置Ｋから反時計方向に所定の角度θだけ回転させることにより同図（ｂ）に示すように、画像６２ｂが窓部８８ｂに対し順次左上方から現れて中央部を通り、さらに左下方へ去ってゆくように表示させることができる。また、図示はしていないが、これとは逆に、第一の回転軸線Ｈを時計方向に所定の角度θだけ回転させることにより、画像６２ｃが窓部８８ｂに対し順次右上方から現れて中央部を通り、さらに右下方へ去ってゆくように表示させることができる。
　　　【００３０】
さらに、これら第一及び第二の回転軸線Ｈ及びＶの周りでの回転を組み合せることにより、次のような表示を行わせることも可能である。すなわち、図７（ａ）に示すように、回転表示体５２を第二の回転軸線Ｖの周りで回転させて図６（ｂ）に示す状態とし、さらに第一の回転軸線Ｈの周りで回転表示体５２を回転させて窓部８８ｂに画像６２ｂを順次表示させる。そして画像６２ｂのうちのいずれかのものが窓部８８ｂに位置合わせされるよう、回転表示体５２の第一の回転軸線Ｈの周りでの回転を停止させる一方、図７（ｂ）に示すようこれとほぼ同時に第一の回転軸線Ｖの周りにおいて、回転表示体５２を上側から見て時計方向に所定の角度回転させることにより、図７（ｃ）に示すように、画像６２ｂと横方向に隣接する画像６２ａを窓部８８ｂに表示させることができる。このように、回転表示体５２の第一及び第二の回転軸線Ｈ及びＶの周りの回転を順次切り換えることにより、窓部８８ｂへの画像の表示を、画像６２ａ〜６２ｃの各列にまたがって不規則に変化させることができ、遊技者に画像の変化の順序を見破られにくくすることができる。
　　　【００３１】
　さらに、第一及び第二の回転軸線Ｈ及びＶの周りの回転を同時に行うことにより、窓部８８ｂへの画像の表示順序及び移動方向をさらに複雑に変化させることができる。例えば、第二の回転軸線Ｖの周りでの回転表示体５２の回転を正逆両方向へ小刻みに切り換えるとともに、その状態で回転表示体５２を第一の回転軸線Ｈの周りにおいて一定方向に連続的に回転させることができる。この場合、例えば第二の回転軸線Ｖの周りでの正逆両方向への回転の振幅が小さい場合には、図８に示すように、画像が左右に振動しながら上側から表れて下側へ去ってゆくように表示が行われ、回転の振幅が大きい場合には、画像６２ａ〜６２ｃの各列の間にまたがった複雑な表示が行われることとなる。
　　　【００３２】
　上述のような回転表示体５２の駆動は、モータ５７及び６０（図２）の回転・停止及び回転方向の切り換えを適宜行うことにより実現することができる。そして、そのようなモータ５７及び６０の制御は、図１４に示すように、それらがモータ駆動回路４１を介してつながれた制御部としてのコンピュータ１０によって行われることとなる。
　　　【００３３】
　以下、本発明の表示装置のいくつかの変形例について説明する。まず、図９に示す表示装置１５１においては、回転表示体５２は中空球状に形成され、その内側に第一の回転駆動部としてのモータ７１が回転表示体５２の内側面から離間した状態で配置されている。モータの回転軸７１ａは、回転表示体５２の内側に結合された仕切板５２ｂと連結される一方、モータ７１の本体はモータ支持枠７２によって支持されており、その後方側には表示体支持部５８が連結されている。表示体支持部５８は、回転表示体５２を貫通してその外側へ延び、そこから回転表示体５２の外面に沿ってその下側に回り込むとともに、その末端部に回転軸５９及び第二の回転駆動部としてのモータ６０が接続されている。これらモータ７１及び６０により、回転表示体５２は第一及び第二の回転軸線Ｈ及びＶの周りでそれぞれ独立に回転されることとなる。
　　　【００３４】
　一方、図１０に示す表示装置１５１は、第一の回転駆動部が回転表示体５２の外側に設けられた例を示している。すなわち、第一の回転軸線Ｈに沿って回転表示体５２の側方両側に回転軸７３がこれと一体的に設けられ、これら各回転軸７３が表示体支持部５８により回転可能に支持されるとともに、その一方の回転軸７３に対し歯車手段７４を介して第一の回転駆動部としてのモータ７１が接続されている。
　　　【００３５】
　さらに、図１１は、回転表示体５２に対する画像の形成態様の変形例を示すものである。すなわち、第二の回転軸線Ｖを含み、かつその回転軸線Ｖの周りに所定の角度間隔で配列する複数の平面、例えば互いに直交する２つの平面Ｐ１０及びＰ１１と、回転表示体５２の表面との交線に沿って設定された２つの円周経路上に、複数の画像６２ｄ及び６２ｅがそれぞれ所定の間隔で配列されている
　　　【００３６】
　また、図１の表示装置４においては回転表示体５２がドラム式表示体５１及び５３と組み合されているが、図１２に示す表示装置１６１のように、複数の回転表示体５２同士を互いに組み合せることも可能である。なお、図１１及び１２の実施態様においては、窓部８８ｂが、画像６２ｄのうちの１つ分のみを表示できる大きさで形成されている。
　　　【００３７】
　次に、本発明の表示装置を組み込んだ遊技機の例と、その作動について説明する。
　図１３は、遊技機の一例を模式的に示す図である。遊技機１は、その遊技盤２ａ上の所定の位置に、スタートチャッカ３及び本発明の表示装置４（例えば図１〜３に示すもの）が設けられており、スタートチャッカ３に玉が入賞すると、回転表示体５２及びドラム式表示体５１及び５３（以下、これらを総称する場合には表示体５１〜５３という）が回転を開始するようになっている。
　　　【００３８】
　図１４は、遊技機１の作動制御システムの構成例を示すブロック図である。この作動制御システムは、ＣＰＵ１１、ＲＡＭ１２、ＲＯＭ１３、クロック回路１５等を含むコンピュータ１０を備えている。ここで、表示装置４の各モータないしモータ５７、６０、６４及び６５は、それぞれモータ駆動回路４１を介して、上記コンピュータ１０のＣＰＵ１１に接続されている。さらに、各表示体５１〜５３の、各モータ５７、６０、６４及び６５による回転角度を検出して、各画像６１、６２ａ〜６２ｃ及び６３を窓部８８ａ〜８８ｃ（図１）にそれぞれ位置合わせするための回転センサ４４もＣＰＵ１１に接続されている。
　　　【００３９】
　また、乱数発生回路２６がコンピュータ１０に接続されている。さらに、スタートチャッカ３内に設けられたスタート入賞センサ１６がスイッチ検出回路１７及び入賞カウント回路部１８を介して、当選音楽等を出力するためのスピーカ２０がスピーカ駆動回路２１を介して、イルミネーション用のランプ２２がランプ駆動回路２３を介して、そして、遊技盤２ａに設けられたポケット６（図１３）を開閉するためのソレノイド２４がソレノイド駆動回路２５を介して、それぞれコンピュータ１０に接続されている。ここで、スタート入賞センサ１６及びスイッチ検出回路１７が入賞検出手段を形成している。さらに、コンピュータ１０は、ＲＯＭ１３に記憶された当選判定プログラム１３ａ及び遊技機制御プログラム１３ｃとともに当選判定手段を形成する。
　　　【００４０】
　図１５に示すように、乱数発生回路２６は、例えばカウンタ２８と乱数読出レジスタ２７とを備える。カウンタ２８は例えばリングカウンタとして構成され、所定のクロックを受けてＮ個の数値を計数し続けている。カウンタ２８は、スイッチ検出回路１７からスタート入賞信号を受け、その時点での計数値を読出レジスタ２７に書き出す。スタートチャッカ３（図１３等）にはランダムな時間間隔で玉が入るので、レジスタ２７に書き出される計数値もランダムとなる。読出レジスタ２７は、複数の計数値を入力された順に記憶するようになっており、その先頭のものからＣＰＵ１１により順次読み出されて、当選判定用の乱数値として使用される。そして、１個の計数値が読み出されると、以下に記憶された計数値はシフトして次の読出しまで待機する。
　　　【００４１】
　一方、入賞カウント回路部１８は、図１５に示すように、入賞カウントレジスタ２９とＯＲ回路３０を備える。入賞カウントレジスタ２９は、スイッチ検出回路１７からスタート入賞信号が出力されるとこれをカウントする。連続して玉がスタートチャッカ３に入った場合には順次カウントアップされるが、そのカウント数は所定の値でフルとなり、そのフル状態においては、スタート入賞信号を受けてもそれ以上のカウントアップは行われないようになっている。ＯＲ回路３０は、入賞カウントレジスタ２９に１つでもスタート入賞信号がカウントされていればＣＰＵ１１に「Ｈ」の出力を行い、全くスタート入賞信号がカウントされていない場合に限って「Ｌ」の出力を行う。また、入賞カウントレジスタ２９のカウント数は、ＣＰＵ１１からの信号を受けて１ずつデクリメントするようになっている。
　　　【００４２】
　図１４に戻って、ＲＯＭ１３には、次のようなプログラム及びデータが格納されてしいる。
▲１▼当選判定プログラム１３ａ：入賞カウントレジスタ２９に入賞信号がカウントされていれば、当選及びはずれの判定を行う。
▲２▼当選番号テーブル１３ｂ：１ないしそれ以上の当選番号を含む。
▲３▼遊技機制御プログラム１３ｃ：入賞カウントレジスタ２９に入賞信号がカウントされていれば、モータ駆動回路４１に信号を送って各表示体５１〜５３の回転を開始させ、上記当選及びはずれの判定結果に基づいて画像の組み合わせを決定し、窓部８８ａ〜８８ｃ（図１）に所定の画像が位置合わせされるように、表示体５１〜５３の駆動を制御するとともに、当選の有無に基づいて遊技機１に所定の動作を行わせる。
▲４▼当選画像組合せテーブル１３ｅ：当選時に窓部８８ａ〜８８ｃに表示させるべき画像の組合せデータを含む。
▲５▼はずれ画像組合せテーブル１３ｆ：はずれ時に窓部８８ａ〜８８ｃに表示させるべき画像の組合せデータを含む。
　　　【００４３】
　以下、当選判定プログラム１３ａによる処理の流れを、図１６のフローチャートを用いて説明する。まず、ステップＳ１（以下、単にＳ１等と記す）において、入賞カウントレジスタ２９（図１５）が入賞信号をカウントしているかどうかをを確認し、ＹｅｓであればＳ２において乱数発生回路２６の読出レジスタ２７から計数値（乱数）を読み出す。次に、Ｓ３で当選番号テーブル１３ｂから当選番号を読み出し、Ｓ４において上記乱数との比較を行い、両者が一致していれば当選の判定結果を、一致していなければはずれの判定結果をそれぞれ出力する（Ｓ５、Ｓ６）。この判定結果は、ＲＡＭ１２内に設けられた判定メモリ１２ａ（図１４）に順次送られて記憶されるが（Ｓ９）、もし判定メモリ１２ａに空き領域がない場合には、すでに記憶されている判定結果がシフトして強制的に空き領域が形成され、そこに次の判定結果が格納される（Ｓ７、Ｓ８）。判定メモリ１２ａに記憶された判定結果は、後述の遊技機制御プログラム１３ｃからの要請に基づいて先頭のものから順次読み出され、読み出しがあった場合には判定メモリ１２ａのシフトを行う（Ｓ１０、Ｓ１１）。そして、Ｓ１２において入賞カウントレジスタ２９のカウント数が１だけデクリメントされ、Ｓ１に戻って以下同じ処理を繰り返す。なお、Ｓ１３において終了信号が検出されれば処理を終了する。
　　　【００４４】
　次に、遊技機制御プログラム１３ｃによる処理の流れを、図１７〜図２０に示すフローチャートを用いて説明する。まず、図１７のステップＳ２１において、入賞カウントレジスタ２９の読み込みを行い、Ｓ２２においてもしレジスタ２９に入賞信号がカウントされていれば、各モータ駆動回路４１（図１４）に信号を送って表示体５１〜５３の回転を開始し、所定時間その回転を継続させる（Ｓ２３）。このとき、回転表示体５２は、第一の回転軸線Ｈの周りでのみ比較的高速で回転して、例えば画像６２ａのみを移動・変化させるように制御される。次に、Ｓ２４において判定メモリ１２ａに記憶されている判定結果の１つを読出し、Ｓ２５においてその判定結果が当選であるか否かを判断する。ここで、読み込んだ判定結果が当選であるか、あるいははずれであるかによって、以下の処理の流れは異なるものとなるので、それらを場合に分けて説明する。
　　　【００４５】
　まず、判定結果が当選の場合であるが、Ｓ２７において揃えるべき画像の組合せを当選画像組合せテーブル１３ｅから読み出す。そして、図１８のＳ２８において、ドラム式回転表示体５１及び５３の画像が揃うように、それらを順次停止させる（このように、画像が２つ揃った状態のことを、以下リーチ状態と称する）。図７（ａ）に、そのときの表示装置４の状態を示している。
　　　【００４６】
　　リーチ状態が形成されると、Ｓ２９においてスピーカ駆動回路２１（図１４）に信号が送られて、スピーカ２０からリーチ状態となったことを知らせる音楽ないし効果音が送出される。このとき、回転表示体５２はリーチ状態モードで駆動される（Ｓ３０）。このリーチ状態モードにおいては、回転表示体５２はその回転速度を低下させるとともに、例えば図７（ａ）〜（ｃ）に示すように、窓部８８ｂへの画像の表示が画像６２ａ〜６２ｃの各列にまたがって不規則に変化するようにその駆動が制御される。これにより、画像の変化の順序が見破られにくくなるとともに、当選に対する期待感が盛り上げられる。そして、この状態で所定時間経過後に回転表示体５２の回転を停止させ、窓部８８ａ〜８８ｃに所定の画像が揃った状態を作り出すとともに（Ｓ３１）、Ｓ３２において、図１３に示す遊技機１に所定の当選動作を行わせる。例えば、ポケット開信号をソレノイド駆動回路２５に出力し、ソレノイド２４（図１４）を作動させてポケット６を所定回数だけ開くとともに、イルミネーション用のランプ２２を点灯させ、スピーカ２０から当選音楽を送出して当選を祝福する。上記当選動作が終了すると、図１７のＳ２１に戻って処理を繰り返す。
　　　【００４７】
　次に、判定結果がはずれの場合であるが、まず図１７のＳ３４において、はずれ画像組合せテーブル１３ｆ内に格納されているはずれ画像の組合せのうちの１つを読み込む。ここで、読み込んだはずれ画像の組合せは、リーチ状態を形成した後にはずれ状態に至る場合と、リーチ状態を形成せずにはずれ状態に至る場合の２種類に分れ、Ｓ３５においてそのいずれの場合に該当するかを判断する。そして、リーチ状態を形成しない場合には、図１９のＳ３７に進み、各表示体５１〜５３を順次停止させ、はずれ状態の画像の組み合わせを表示した後図１７のＳ２１へ戻る。一方、リーチ状態を経由する場合には図２０のＳ３８に進む。そして、Ｓ３８〜Ｓ４１の各ステップにおける処理は、当選時のリーチ状態に対応する処理（Ｓ２８〜Ｓ３１）とほぼ同様であるが、異なる点は、最後に停止する回転表示体５２により表示される画像が、すでに停止しているドラム式表示体５１及び５３の２つの画像と一致しない点である。画像が停止すると、Ｓ４２においてリーチ状態処理が解除され、図１７のＳ２１へ戻る。
　　　【００４８】
　図２１は、図１の表示装置４における、回転表示体５２とその駆動部分の変形例を示すものである。まず、回転表示体５２は、透光性のプラスチックにより中空に形成されている。また、モータ５７のロータ部５６は、ステータ部５５を外側から覆うやや偏平な中空円柱状のカバー体５６ｂを有し、その両端面の各中央に形成された貫通孔５６ｃ，５６ｃにおいて固定軸５４が挿通されるとともに、その貫通孔５６ｃ，５６ｃに装着されたベアリング５６ｄ，５６ｄを介し該固定軸５４により回転可能に支持されている。そして、その内周面には、ステータ５５の外周面と対向するロータマグネット５６ａが固着されている。また、回転表示体２には、固定軸５４の両端部に対応してそれぞれこれを貫通させる貫通孔５２ｃが形成されている。
　　　【００４９】
　図２２に示すように、回転表示体５２は、固定軸５４の軸線を含む面により分割して形成された２つの半球状のプラスチック部材５２ａ，５２ｂにより構成されている。これらプラスチック部材５２ａ，５２ｂは、各々射出成形等により形成されるとともに、それぞれその分割側の開口縁部において、固定軸５４を挟む形で互いに嵌合・一体化される。具体的には図２３に示すように、一方のプラスチック部材５２ａの開口内縁側に円環状に形成されたリブ５２ｄを、他方のプラスチック部材５２ｂの開口外縁側に形成されたリブ５２ｅの内側に嵌合させる構造が採用できる。そして、各プラスチック部材５２ａ，５２ｂには、表示体側係合部としての２つのピン挿通孔５２ｆがその頂部付近に並んで形成されている。また、ロータ部５６のカバー体５６ｂの外周面には、固定軸５４に関してほぼ対称な位置関係で、各２本づつ計４本のロータ側係合部としての装着ピン５６ｆが、外側に突出する形で取り付けられている。そして、装着ピン５６ｆは、ピン挿通孔５２ｆの内径よりも少し大きな外径を有するように構成されており、それぞれピン挿通孔５２ｆに圧入されることで、プラスチック部材５２ａ，５２ｂとカバー体５６ｂとを着脱可能に結合するようになっている。
　　　【００５０】
　次に、図２１に示すように、固定軸５４上には、ソケット９０とこれに着脱される発光部としての電球９１とが、モータ５７の両側に各一づつ計２組固定されている。また、ソケット９０を介して電球９１に給電するためのリード部９０ａが、該固定軸５４の内側を通されている。
　　　【００５１】
　上記構成においては、装着ピン５６ｆをピン挿通孔５２ｆから抜き取ることによりプラスチック部材５２ａ，５２ｂを取り外し、代わって別のプラスチック部材５２ａ，５２ｂを取り付けることで、回転表示体５２を例えば寸法の異なるもの、あるいは形成された画像パターンの異なるものに容易に交換することができる。また、電球９１を、リード部９０ａ及びソケット９０を介して図示しない電源により通電・点灯させることで、透光性プラスチックで構成された回転表示体５２の外側に光が漏れ出すとともに、表面に形成された画像パターンがこれに照り映えて、斬新な表示効果が醸し出される。なお、電球９１に代えて、発光ダイオードを用いてもよい。
　　　【００５２】
　また、図２４（ａ）に示すように、固定軸５４の周方向に沿って２つの固定端子部９２，９２を設け、その端子部９２，９２に外側から接触するとともに該固定軸５４周りに回転可能な可動端子部９３，９３を設け、該可動端子部９３，９３に電球９１（あるいは発光ダイオード）を接続して、固定端子部９２及びこれに接続されたリード部９０ａを介してこれに通電するようにすれば、電球９１をロータ部５６（すなわち回転表示体５２）とともに一体的に回転させることができる。この場合、図２４（ｂ）に示すように、電球９１をロータ部５６のカバー体５６ｂ上に固定したり、あるいは
図２４（ｃ）に示すように、
　　　【００５３】
　次に、図２５に示すように、ロータ部５６のカバー体５６ｂの一方の端面に、被検出部としての金属薄膜等の反射部材９５を取り付けるとともに、固定軸５４上にこれに対応する検出手段としての光センサ９８を設けることができる。光センサ９８は、例えば投光部９６と受光部９７とによって構成することができる。そして、ロータ部５６を回転させた場合、反射部材９５で反射された投光部９６からの光を受光部９７で受けることで、回転に伴う反射部材９５の通過を検出することができる。モータ５７がステッピングモータで構成されている場合、反射部材９５を検出した角度位置を基準位置として、その後モータ５７に投入されたパルス数を計測することで、回転表示体５２の固定軸５４（すなわち、第一の回転軸線Ｈ）周りの回転角度位置を検出することができる。
　　　【００５４】
　なお、カバー体５６ｂの端面において、被検出部を無反射部、その他の面を反射部として、受光部９７が受ける反射光の途切れに基づき基準位置の通過を検出してもよい。また、図２５（ｃ）に示すように、カバー体５６ｂの端面から突出して設けられた検出部材９９が、投光部９６から受光部９７へ向かう光を遮ることに基づいて検出する方法、さらには近接スイッチあるいはリミットスイッチを用いる方法など、各種公知の検出手段を上記方式に代えて採用することができる。
　　　【００５５】
　一方、図２６に示すように、第二の回転駆動部としてのモータ６０のモータ軸６０ａを、表示体支持部５８（図２２）が結合されているのとは反対側において、モータ本体６０ｂを貫通するように延ばし、その末端部に該モータ軸６０ａと一体回転可能に被検出部８２を設けることができる。具体的には、モータ軸６０ａの末端に円板状の回転部材８４がこれとほぼ直角に一体化されており、その下面に板状の被検出部８２が下向きに突出する形で設けられている。回転部材８４は、モータ６０が固定されるベース板８０の下面側に形成された凹部８１内に収容されており、該凹部８１の外周に沿ってベース板８０には、モータ軸６０ａの両回転方向におけるそれぞれの限界回転位置に対応して、回転部材８４を検出するための検出手段としての２つのリミットスイッチ８３（あるいは近接スイッチ）が設けられている。そして、モータ軸６０ａの回転に伴い、被検出部８２がリミットスイッチ８３を付勢することで、回転表示体５２が第二の回転軸線Ｖ（図２２）周りの回転の限界位置に到達したことを検出することができる。
　　　【００５６】
　なお、以上説明した本発明の表示装置が適用可能な遊技機はパチンコ遊技台に限らず、例えばスロットマシン等、複数の画像の組み合わせに基づいて当選の有無を表示する形式の各種遊技機に対し適用することができる。
【図面の簡単な説明】
　　【図１】
　本発明の一例としての表示装置を示す斜視図。
　　【図２】
　図１の表示装置の回転表示体及びその駆動機構を示す正面断面図。
　　【図３】
　同じくドラム式表示体及びその駆動機構を示す正面断面図。
　　【図４】
　回転表示体に対する画像の形成態様を示す正面図、Ａ矢視図及びＢ矢視図。
　　【図５】
　回転表示体の作用を説明する平面図及び正面図。
　　【図６】
　同じく別の作用を説明する平面図及び正面図。
　　【図７】
　図１の表示装置の作用説明図。
　　【図８】
　同じく別の作用説明図。
　　【図９】
　本発明の表示装置の第一の変形例を示す側面断面図。
　　【図１０】
　同じく第二の変形例を示す正面図。
　　【図１１】
　回転表示体に対する画像形成態様の変形例を示す正面図及び平面図。
　　【図１２】
　本発明の表示装置の第三の変形例を示す正面図。
　　【図１３】
　本発明の表示装置を使用した遊技機の一例を示す正面模式図。
　　【図１４】
　その遊技機の作動制御システムの構成例を示すブロック図。
　　【図１５】
　乱数発生回路部及び入賞カウント回路部の構成を示すブロック図。
　　【図１６】
　当選判定プログラムの流れを示すフローチャート。
　　【図１７】
　遊技機制御プログラムの流れを示すフローチャート。
　　【図１８】
　図１７のＡに続くフローチャート。
　　【図１９】
　同じくＢに続くフローチャート。
　　【図２０】
　同じくＣに続くフローチャート。
　　【図２１】
　回転表示体及びその駆動機構の変形例を示す正面断面図。
　　【図２２】
　回転表示体の着脱方法を示す斜視図。
　　【図２３】
　同じくその側面断面図。
　　【図２４】
　発光部を回転表示体とともに回転可能に構成した例を示す模式図。
　　【図２５】
　回転表示体の、第一の回転軸線周りにおける回転位置の検出機構の構成例を、その変形例とともに示す説明図。
　　【図２６】
　回転表示体の、第二の回転軸線周りにおける限界回転位置の検出機構の構成例を示す説明図。
　　【図２７】
　従来の表示装置の概念図。
　　【符号の説明】
　１　遊技機
　２ａ　遊技盤（画像遮蔽部）
　４，１５１，１６１　表示装置
　５１，５３　ドラム式表示体
　５２　回転表示体
　５２ａ，５２ｂ　プラスチック部材
　５２ｆ　ピン挿通孔（表示体側係合部）
　５２ｃ　貫通孔
　５４　固定軸
　５５　ステータ部
　５６　ロータ部
　５６ｆ　装着ピン（ロータ側係合部）
　５６ｃ　貫通孔
　５６ｄ　ベアリング
　５７　モータ（第一の回転駆動部）
　５８　表示体支持部
　５９　回転軸
　６０　モータ（第二の回転駆動部）
　Ｈ　第一の回転軸線
　Ｖ　第二の回転軸線
　６１，６２ａ〜６２ｃ，６３　画像
　６４，６５モータ（ドラム式表示体駆動部）
　８２　被検出部
　８３　リミットスイッチ（検出手段）
　９１　電球（発光部）
　９０ａ　リード部
　９５　反射部材（被検出部）
　９８　光センサ（検出手段）